(57)【要約】      （修正有）【課題】周囲に人がいるか否かに応じてカーナビゲーション装置にて表示させる内容を変更可能な携帯電話機を得る。【解決手段】携帯電話機と通信可能であって、着信に伴う表示に用いられる第１情報を、表示部を備えたカーナビゲーション装置に送信する送信部６３と、自機５のユーザ以外の第三者の存在を検知する検知装置から、第三者が存在するか否かを示した存在情報を受信する受信部６１と、受信部６１が存在情報を受信した場合であって、かつ携帯電話機からの着信があった場合、カーナビゲーション装置にて第１情報に基づく表示を行ったときに表示される内容とは異なる内容を表示するための第２情報を生成する生成部７４とを備え、送信部６３は、生成部７４が第２情報を生成した場合、第２情報をカーナビゲーション装置に送信する。【選択図】図１
2009088960.tif 000002
【特許請求の範囲】
【請求項１】
外部機器と通信可能な通信装置であって、
着信に伴う表示に用いられる第１情報を、表示部を備えた周辺装置に送信する送信手段と、
自装置のユーザ以外の第三者の存在を検知する検知手段から、前記第三者が存在するか否かを示した存在情報を受信する受信手段と、
前記受信手段が前記存在情報を受信した場合であって、かつ前記外部機器からの着信があった場合、前記周辺装置にて前記第１情報に基づく表示を行ったときに表示される内容とは異なる内容を表示するための第２情報を生成する生成手段と、を備え、
前記送信手段は、前記生成手段が前記第２情報を生成した場合、前記第２情報を前記周辺装置に送信することを特徴とする通信装置。
【請求項２】
前記外部機器は、記憶装置に記憶された特定情報により特定される所定の外部機器であることを特徴とする請求項１記載の通信装置。
【請求項３】
前記特定情報を記憶装置に記憶させる記憶手段と、
着信があった場合、前記記憶装置に記憶された特定情報に基づき、当該着信が所定の機器からの着信であるか否かを判断する判断手段を備えることを特徴とする請求項２記載の通信装置。
【請求項４】
操作部を介した第１の入力を自装置が受け付けた場合、前記送信手段は、前記第２情報の代わりに前記第１情報を前記周辺装置に送信することを特徴とする請求項１から３の何れか１項に記載の通信装置。
【請求項５】
前記受信手段が前記周辺装置から所定の情報を受信した場合には、前記送信手段は、前記第２情報の代わりに前記第１情報を前記周辺装置に送信することを特徴とする請求項１
から３の何れか１項に記載の通信装置。
【請求項６】
前記受信手段は、前記周辺装置を介して前記存在情報を受信することを特徴とする請求項１から５の何れか１項に記載の通信装置。
【請求項７】
前記第２情報は、発信者名、発信元の電話番号、発信元のメールアドレスを前記周辺機器で非表示とする情報であることを特徴とする請求項１から６の何れか１項に記載の通信装置。
【請求項８】
前記検知手段は、車両内に配置されると共に当該車両内に前記第三者がいるか否かを検知し、前記周辺機器は、自装置が送信した前記第１情報または前記第２情報に基づいた表示を行うカーナビゲーション装置であることを特徴とする請求項１から７の何れか１項に記載の通信装置。
【請求項９】
着信があった場合に表示部に第１の表示を行うモードと、前記着信があった場合に前記表示部に前記第１の表示の一部を視認不可能に変更した第２の表示を行うモードとを備えた通信装置であって、
自装置のユーザ以外の第三者の存在を検知する検知手段から、前記第三者が存在するか否かを示した存在情報を受信する受信手段と、
前記受信手段が前記存在情報を受信した場合であって、かつ外部機器からの着信があった場合、表示部を備えた周辺装置に対して、前記周辺装置に前記第２の表示を行わせるための表示情報を送信する送信手段と、を備えることを特徴とする通信装置。
【請求項１０】
外部機器と通信可能な通信装置であって、
第１番の情報を、表示部を備えた周辺装置に送信する送信手段と、
自装置のユーザ以外の第三者の存在を検知する検知手段から、前記第三者が存在するか否かを示した存在情報を受信する受信手段と、
前記受信手段が前記存在情報を受信した場合であって、かつ操作部を介した第２の入力を自装置が受け付けた場合、前記周辺装置にて前記第１番の情報に基づく表示を行ったときに表示される内容とは異なる内容を表示するための第２番の情報を生成する生成手段と、を備え、
前記送信手段は、前記生成手段が前記第２番の情報を生成した場合、前記第２番の情報を前記周辺装置に送信することを特徴とする通信装置。
【請求項１１】
着信に伴う表示に用いられる第１情報を、表示部を備えた周辺装置に送信可能な通信装置と、前記通信装置に対して発信する通信機器と、前記周辺装置と、前記通信装置のユーザ以外の第三者の存在を検知する検知装置とを備え、前記周辺装置が前記第１情報に基づいた表示を行う通信システムであって、
前記検知手段は、前記周辺装置を介して、前記第三者が存在するか否かを示した存在情報を前記通信装置に送信し、
前記通信装置は、前記存在情報を受信した場合であって、かつ前記通信機器からの着信があった場合、前記周辺装置にて前記第１情報に基づく表示を行ったときに表示される内容とは異なる内容を表示するための第２情報を生成すると共に、前記生成した第２情報を前記周辺装置に送信し、
前記周辺装置は、前記第２情報を受信すると、前記第１情報の代わりに前記第２情報に基づいた表示を行うことを特徴とする通信システム。
【請求項１２】
前記周辺装置は、前記第２情報を受信した場合、前記通信機器を特定する情報を非表示とした前記表示を行うことを特徴とする請求項１１記載の通信システム。
【請求項１３】
外部機器と通信可能な通信装置による通信方法であって、
着信に伴う表示に用いられる第１情報を、表示部を備えた周辺装置に送信する送信ステップと、
自装置のユーザ以外の第三者の存在を検知する検知手段から、前記第三者が存在するか否かを示した存在情報を受信する受信ステップと、
前記受信手段が前記存在情報を受信した場合であって、かつ前記外部機器からの着信があった場合、前記周辺装置にて前記第１情報に基づく表示を行ったときに表示される内容とは異なる内容を表示するための第２情報を生成する生成ステップと、を含み、
前記送信ステップでは、前記生成手段が前記第２情報を生成した場合、前記第２情報を前記周辺装置に送信することを特徴とする通信方法。
【発明の詳細な説明】
【技術分野】
【０００１】
本発明は、他の機器とデータ通信を行う通信装置、通信装置を備えた通信システム、通信方法、プログラム、及び記録媒体に関する。
【背景技術】
【０００２】
従来より、車両の運転中に携帯電話機に着信があった場合、当該携帯電話機から着信があったことを示したデータを受信し、当該受信したデータに基づいて着信があったことを表示部に表示するといった構成を備えた車両用ディスプレイ装置（例えば、カーナビゲーション装置）が知られている。
【０００３】
しかしながら、当該技術では、発信相手が誰であろうと、車両用ディスプレイ装置に着信表示がなされてしまう。このため、同乗者がいる場合、同乗者に発信相手の情報を知られることとなる。それゆえ、携帯電話機のユーザにとって都合の悪い場合がある。
【０００４】
そこで、近年、特許文献１に示すように、車両の運転中に携帯電話機に着信があった場合、予め登録しておいた相手からの着信に限り、表示画面に当該着信の表示を行う車両用ディスプレイ装置が開発されている。
【０００５】
また、同乗者に迷惑とならないように、通話音声が出力される車載スピーカを切換える技術も知られている。例えば、特許文献２には、助手席の同乗者の有無を検知するセンサを備えたハンズフリー装置であって、当該センサによって同乗者がいることが検知された場合、運転手の携帯電話機に着信があると、運転席に近い車載スピーカから通話音声を出力させるハンズフリー装置が開示されている。なお、スピーカの切換え制御は、カーナビゲーションシステムとして動作するカーナビ部を備えた制御部が行っている。
【特許文献１】特開２００２−５２９８６号（公開日：平成１４年２月１９日）
【特許文献２】特開２００３−２２４６５３号（公開日：平成１５年８月８日）
【発明の開示】
【発明が解決しようとする課題】
【０００６】
しかしながら、上記特許文献２においては、上記制御部はセンサからの情報を用いてスピーカの出力を制御するが、上記センサからの情報を携帯電話機にて利用するために当該情報を携帯電話機に送信することはなされていない。また、特許文献１においても、特許文献２のようなセンサを用いていないため、同様である。
【０００７】
一方で、携帯電話機のユーザが車両に搭乗中であって、かつ同乗者がいる場合には、従来に比して、携帯電話機に対する着信時に表示される情報を同乗者に秘密にしておくことが好ましい。特に、車両の運転中に携帯電話機に着信があった場合に、当該着信をカーナビゲーション等の車両用ディスプレイ装置に表示させる構成を取る場合には、上記情報を同乗者に秘密にしておくことが一層好ましい。
【０００８】
また、上記のような問題は、車内に限らず、例えば、自宅の部屋においても起こりうる。つまり、自宅の部屋に人を検知するセンサを設け、携帯電話機への着信を周辺装置に表示させる場合である。
【０００９】
本願発明は、上記問題点に鑑みなされたものであって、その目的は、周囲に人がいるか否かに応じて周辺装置にて表示させる内容を変更可能な通信装置、当該通信装置を備えた通信システム、及び通信方法を提供することにある。
【課題を解決するための手段】
【００１０】
上記の課題を解決するために、本発明に係る通信装置は、外部機器と通信可能な通信装置であって、着信に伴う表示に用いられる第１情報を、表示部を備えた周辺装置に送信する送信手段と、自装置のユーザ以外の第三者の存在を検知する検知手段から、前記第三者が存在するか否かを示した存在情報を受信する受信手段と、前記受信手段が前記存在情報を受信した場合であって、かつ前記外部機器からの着信があった場合、前記周辺装置にて前記第１情報に基づく表示を行ったときに表示される内容とは異なる内容を表示するための第２情報を生成する生成手段と、を備え、前記送信手段は、前記生成手段が前記第２情報を生成した場合、前記第２情報を前記周辺装置に送信することを特徴としている。
【００１１】
また、本発明に係る通信装置は、上記の課題を解決するために、着信があった場合に表示部に第１の表示を行うモードと、前記着信があった場合に前記表示部に前記第１の表示の一部を視認不可能に変更した第２の表示を行うモードとを備えた通信装置であって、自装置のユーザ以外の第三者の存在を検知する検知手段から、前記第三者が存在するか否かを示した存在情報を受信する受信手段と、前記受信手段が前記存在情報を受信した場合であって、かつ外部機器からの着信があった場合、表示部を備えた周辺装置に対して、前記周辺装置に前記第２の表示を行わせるための表示情報を送信する送信手段と、を備えることを特徴としている。
【００１２】
また、本発明に係る通信装置は、上記の課題を解決するために、外部機器と通信可能な通信装置であって、第１番の情報を、表示部を備えた周辺装置に送信する送信手段と、自装置のユーザ以外の第三者の存在を検知する検知手段から、前記第三者が存在するか否かを示した存在情報を受信する受信手段と、前記受信手段が前記存在情報を受信した場合であって、かつ操作部を介した第２の入力を自装置が受け付けた場合、前記周辺装置にて前記第１番の情報に基づく表示を行ったときに表示される内容とは異なる内容を表示するための第２番の情報を生成する生成手段と、を備え、前記送信手段は、前記生成手段が前記第２番の情報を生成した場合、前記第２番の情報を前記周辺装置に送信することを特徴としている。
【００１３】
また、本発明に係る通信システムは、上記の課題を解決するために、着信に伴う表示に用いられる第１情報を、表示部を備えた周辺装置に送信可能な通信装置と、前記通信装置に対して発信する通信機器と、前記周辺装置と、前記通信装置のユーザ以外の第三者の存在を検知する検知装置とを備え、前記周辺装置が前記第１情報に基づいた表示を行う通信システムであって、前記検知手段は、前記周辺装置を介して、前記第三者が存在するか否かを示した存在情報を前記通信装置に送信し、前記通信装置は、前記存在情報を受信した場合であって、かつ前記通信機器からの着信があった場合、前記周辺装置にて前記第１情報に基づく表示を行ったときに表示される内容とは異なる内容を表示するための第２情報を生成すると共に、前記生成した第２情報を前記周辺装置に送信し、前記周辺装置は、前記第２情報を受信すると、前記第１情報の代わりに前記第２情報に基づいた表示を行うことを特徴としている。
【００１４】
また、本発明に係る通信方法は、上記の課題を解決するために、外部機器と通信可能な通信装置による通信方法であって、着信に伴う表示に用いられる第１情報を、表示部を備えた周辺装置に送信する送信ステップと、自装置のユーザ以外の第三者の存在を検知する検知手段から、前記第三者が存在するか否かを示した存在情報を受信する受信ステップと、前記受信手段が前記存在情報を受信した場合であって、かつ前記外部機器からの着信があった場合、前記周辺装置にて前記第１情報に基づく表示を行ったときに表示される内容とは異なる内容を表示するための第２情報を生成する生成ステップと、を含み、前記送信ステップでは、前記生成手段が前記第２情報を生成した場合、前記第２情報を前記周辺装置に送信することを特徴としている。
【発明の効果】
【００１５】
以上のように、本発明に係る通信装置は、外部機器と通信可能な通信装置であって、着信に伴う表示に用いられる第１情報を、表示部を備えた周辺装置に送信する送信手段と、自装置のユーザ以外の第三者の存在を検知する検知手段から、前記第三者が存在するか否かを示した存在情報を受信する受信手段と、前記受信手段が前記存在情報を受信した場合であって、かつ前記外部機器からの着信があった場合、前記周辺装置にて前記第１情報に基づく表示を行ったときに表示される内容とは異なる内容を表示するための第２情報を生成する生成手段と、を備え、前記送信手段は、前記生成手段が前記第２情報を生成した場合、前記第２情報を前記周辺装置に送信する構成である。
【００１６】
上記構成により、通信装置は、検知手段が第三者の存在を検知した場合であって、かつ外部機器からの着信があった場合には、前記周辺装置にて前記第１情報に基づく表示を行ったときに表示される内容とは異なる内容を表示するための第２情報を生成し、当該生成した第２情報を上記周辺装置に送信することができる。
【００１７】
それゆえ、検知手段が第三者の存在を検知した場合であって、かつ外部機器からの着信があった場合には、上記周辺装置は、前記周辺装置にて前記第１情報に基づく表示を行ったときに表示される内容とは異なった表示をすることができる。
【００１８】
したがって、通信装置は、当該通信装置に着信があった場合、周囲に第三者がいるか否かに応じて、周辺装置にて表示させる内容を変更することが可能となるといった効果を奏する。
【発明を実施するための最良の形態】
【００１９】
本発明の一実施形態について図１ないし図６に基づいて説明すると以下の通りである。
【００２０】
本発明の実施形態に係る通信システム１は、図２に示すとおり、検知装置（検知手段）２、カーナビゲーション装置（周辺装置）３、携帯電話機（外部機器、所定の外部機器、通信機器）４、及び携帯電話機（通信装置）５を備えている。なお、以下の説明においては、カーナビゲーション装置３が携帯電話機５の周辺に配置されており、カーナビゲーション装置３と携帯電話機とが無線又は有線により通信である場合について説明する。
【００２１】
検知装置２は、車両に備えられており、当該車両内に携帯電話機１のユーザ以外の第三者が存在するか否かを検知する。なお、第三者が存在するか否かを検知する方法は様々ある。以下では、一例として、運転席以外の座席に荷重を検知するセンサを設けておき、当該センサに加わる荷重により、人が着座したか否かを判断するものとする。
【００２２】
検知装置２は、運転席以外の座席に人が着座したことを検出した場合、着座したことを示す信号（以下、着座信号）をカーナビゲーション装置３に送信する。なお、着座を検出した場合、検知装置２を、常にカーナビゲーション装置３に対して上記着座信号を常時送信する構成としてもよいし、あるいは、カーナビゲーション装置３に対して上記着座信号を一定周期のパルス信号として送信する構成としてもよい。
【００２３】
カーナビゲーション装置３は、車両に備えられており、当該車両の運転手に対して道案内等をする。また、カーナビゲーション装置３は、図３に示すとおり、第１受信部３１、第２受信部３２、第３受信部３３、制御部３４、表示部３５、及び送信部３６を備えている。
【００２４】
第１受信部３１は、ＧＰＳ衛生からＧＰＳ情報を受信する。第２受信部３２は、検知装置２から、上記着座信号を受信する。第３受信部３３は、詳しくは後述するが、携帯電話機５から情報を受信する。
【００２５】
制御部３４は、表示部３５における表示や、上記ＧＰＳ衛星、検知装置３、及び携帯電話機５との間のデータ送受信を行うべく、カーナビゲーション装置３の動作を制御する。
【００２６】
表示部３５は、車両が位置する場所等を示した画像を、地図を示した画像に重ね合わせた画像を表示する。表示部３５は、第３受信部３３が受信した携帯電話機５からの情報に基づいた表示を行う。当該表示については、後述する。
【００２７】
送信部３６は、第２受信部３２が上記着座信号を受信した場合、当該着座信号に基づく信号（存在情報）を携帯電話機５に送信する。なお、送信部３６が、携帯電話機５に対して上記着座信号に基づく信号を常時送信する構成としてもよいし、あるいは、携帯電話機５に対して上記着座信号に基づく信号を一定周期のパルス信号として送信する構成としてもよい。
【００２８】
なお、第３受信部３３や送信部３６を用いた携帯電話機５との通信は、無線による通信でもよいし、あるいは有線による通信でもよい。
【００２９】
携帯電話機４は、通話やメールの送受信が可能な電話機である。例えば、携帯電話機４が携帯電話機５宛に発呼することにより、携帯電話機５では携帯電話機４からの着呼がなされる。また、携帯電話機４が携帯電話機５宛にメールを送信することにより、携帯電話機５では携帯電話機４からのメールが受信される。なお、以下では、発信と記した場合には、発呼とメール送信とが含まれるものとし、着信と示した場合には、着呼とメール受信とが含まれるものとする。
【００３０】
携帯電話機５は、図１に示すとおり、アンテナ部５１、無線処理部５２、電話帳データ記憶部５３、特定情報記憶部（記憶装置）５４、ＡＶコーデック部５５、表示部５６、音声出力部５７、撮影部５８、音声入力部５９、操作部６０、受信部（受信手段）６１、制御部６２、及び送信部（送信手段）６３を備えている。
【００３１】
アンテナ部５１は、携帯電話機４を含んだ他の携帯電話機との通信に用いられる。具体的には、アンテナ部５１は、携帯電話機４等からの無線データの受信、携帯電話機４等への無線データの送信に用いられるアンテナである。なお、以下では、説明の便宜上、携帯電話機５の通信対象が携帯電話機４である場合について説明する。
【００３２】
無線処理部５２は、アンテナ部５１で受信した携帯電話機４からの無線データに対してデータ処理（無線信号処理）を行うと共に、このデータ処理されたデータを制御部６２に送信する。また、無線処理部５２は、制御部６２から送信されるデータに対してデータ処理を行うと共に、そのデータ処理されたデータを、アンテナ部５１を介して、携帯電話機４へ出力する。
【００３３】
電話帳データ記憶部５３は、フラッシュメモリ等の記憶装置で構成される。この電話帳データ記憶部５３には、予め、ユーザが記憶させた第三者の氏名や名称や俗称、電話番号、メールアドレス等の第三者を特定するための個々の情報が、互いに関連づけられて記憶されている。
【００３４】
特定情報記憶部５４は、携帯電話機を特定する特定情報を記憶している。より詳しくは、特定情報とは、ユーザによる操作部６０を介した操作により入力される、所望とする相手機器を識別するための識別情報である。特定情報は、具体的には、或る携帯電話機の電話番号であったり、当該携帯電話機のメールアドレスであったり、当該携帯電話機のユーザ名（つまり、第三者の氏名、名称、又は俗称）である。例えば、特定情報として携帯電話機４の電話番号が、特定情報記憶部５４に記憶されることになる。
【００３５】
なお、特定情報は、１つの携帯電話機を特定する情報だけではなく、複数の携帯電話機それぞれを特定する情報であってもよい。例えば、特定情報として、携帯電話機４の電話番号と、携帯電話機５を除く他の携帯電話機の電話番号とを特定情報記憶部５４に記憶可能になっている。
【００３６】
また、特定情報記憶部５４に記憶される特定情報は、電話帳データ記憶部５３に記憶された上記個々の情報に限定されない。つまり、上記特定情報は、電話帳データ記憶部５３に記憶されていない情報（識別情報）であってもよい。
【００３７】
ＡＶコーデック部５５は、図示しない、映像エンコード部、音声エンコード部、多重化処理部、分離処理部、映像デコード部、及び音声デコード部を備えている。
【００３８】
上記映像エンコード部は、撮影部５８から入力された映像データを符号化するものであり、上記音声エンコード部は、音声入力部５９から入力された音声データを符号化するものである。
【００３９】
上記多重化処理部は、映像エンコード部および音声エンコード部にて符号化された映像データおよび音声データを多重化し、多重化されたデータであるＡＶストリームデータを制御部６２に出力するものである。一方、上記分離処理部は、無線処理部を介して制御部６２から入力されたＡＶストリームデータを、符号化された映像データおよび音声データに分離するものである。
【００４０】
上記映像デコード部は、分離処理部にて分離された映像データを復号化し、復号化された映像データを表示部５６に出力するものである。上記音声デコード部は、分離された音声データを復号化し、復号化された音声データを音声出力部５７に出力するものである。
【００４１】
なお、映像データのコーデック（エンコード化およびデコード化）の例としては、ＩＴＵ−Ｔ  Ｈ．２６３やＭＰＥＧ−４が挙げられる。
【００４２】
表示部５６は、例えば、液晶駆動装置および液晶表示パネルを供えた液晶表示装置で構成される。なお、液晶表示装置に限定されず、有機ＥＬ表示装置等であってもよい。この表示部５６は、ＡＶコーデック部５５から出力される映像信号に基づき、画像を表示パネルに表示する。
【００４３】
なお、以下では、携帯電話機５に携帯電話機４から着呼があった場合、携帯電話機４の電話番号と第三者の氏名等が関連づけて電話帳データ記憶部５３に記憶されているときには、表示部５６には、電話番号の代わりに上記氏名等が表示されるものとする。一方、携帯電話機４の電話番号と第三者の氏名等が関連づけて電話帳データ記憶部５３に記憶されていないときには、表示部５６には携帯電話機４の電話番号を表示するものとする。なお、以下では説明の便宜上、携帯電話機４の電話番号と第三者の氏名等が関連づけて電話帳データ記憶部５３に記憶されているものとして説明する。
【００４４】
音声出力部５７は、Ｄ／Ａ変換器、スピーカ、および、イヤホンで構成される。この音声出力部５７は、ＡＶコーデック部５５から出力される音声信号に基づき、音声を外部に出力する。
【００４５】
撮影部５８は、図示しない、レンズ、受光素子を備えたＣＣＤ回路、ＣＣＤ駆動部、信号増幅部、Ａ／Ｄ 変換部、及びレンズ駆動部により構成されている。そして、この撮影部５８で撮影することにより得られた画像データは、ＡＶコーデック部５５に送信される。
【００４６】
音声入力部５９は、Ａ／Ｄ変換器およびマイクで構成されている。そして、音声入力部５９では、このマイクで集音された音声信号が上記Ａ／Ｄ変換器により変換され、その後、ＡＶコーデック部５５に送信される。
【００４７】
操作部６０は、携帯電話機５の表面に設けられた複数の操作キーで構成される。この操作キーを用いた入力指令は、一旦、制御部６２に送られる。
【００４８】
受信部６１は、カーナビゲーション装置３の送信部３６が携帯電話機５宛に送信した、上述した着座信号に基づく信号を受信する。そして、受信部６１は、当該着座信号に基づく信号を制御部６２に送る。
【００４９】
次に、制御部６２について説明する。制御部６２は、携帯電話機５において各種のデータ処理を行い、この処理に基づいた指令を各部に出す。これにより、制御部６２は、携帯電話機５の動作を制御することになる。また、制御部６２は、同図に示すとおり、書込／読取制御部（記憶手段）７１、判断部（判断手段）７２、動作モード制御部７３、及び生成部（生成手段）７４を備えている。
【００５０】
書込／読取制御部７１は、ユーザから操作部６０を介した特定情報を入力するための入力操作に基づき、特定情報記憶部５４に当該特定情報を書き込む。また、書込／読取制御部７１は、着信があった場合、特定情報を特定情報記憶部５４から読み出す。そして、書込／読取制御部７１は、当該読み出した特定情報を判断部７２に送る。
【００５１】
判断部７２は、書込／読取制御部７１が読み出した特定情報を書込／読取制御部７１から受け取る。その後、判断部７２は、上記着信が何れの機器からの着信であるかを示した情報（例えば、着呼であれば電話番号、メール受信であればメールアドレス）を着信時のデータから取得する。さらに、判断部７２は、上記取得した情報（以下、取得情報）が上記特定情報と関連性があるか否かを判断する。
【００５２】
例えば、上記特定情報として電話番号が記憶されている場合、着呼があれば、当該電話番号と上記取得情報である電話番号とが一致するか否かを判断する。また、上記特定情報としてメールアドレスが記憶されている場合、メールを受信すれば、上記記憶しているメールアドレスと上記取得情報であるメールアドレスとが一致するか否かを判断する。
【００５３】
なお、特定情報記憶部５４には、電話番号とメールアドレスとの両方を必ずしも記憶しておく必要はない。例えば電話番号のみを記憶している場合に、携帯電話機５がメールを受信したときには、判断部７２が電話帳データ記憶部５３を参照して、当該電話番号に関連づけられたメールアドレスを取得することにより、メールアドレス同士が一致するかを判断部７２が判断すればよい。メールアドレスのみを記憶している場合も同様である。また、特定情報記憶部５４に特定情報として上記ユーザ名が記憶されている場合も、上記と同様に、電話帳データ記憶５３を参照して、電話番号やメールアドレスが互いに判断すればよい。
【００５４】
このように、判断部７２は、着信があった場合、特定情報記憶部５４に記憶された特定情報に基づき、当該着信が、上記特定情報にて特定される機器からの着信であるか否かを判断する。例えば、携帯電話機４の電話番号を特定情報として記憶している場合、当該携帯電話機４から携帯電話機５に着呼があったときには、判断部７２は、特定情報記憶部５４に記憶された携帯電話機４の電話番号（特定情報）に基づき、当該着信が、上記特定情報にて特定される機器からの着信であると判断する。
【００５５】
動作モード制御部７３は、操作部６０を介した所定の指示があった場合、携帯電話機５の表示モードが通常モードのときには表示モードをシークレットモードに変更する一方、表示モードがシークレットモードのときには表示モードを通常モードに変更する。
【００５６】
ここで、通常モードとは、例えば携帯電話機４から携帯電話機５宛に発呼があった場合、携帯電話機５において携帯電話機４を識別する情報、例えば、携帯電話機４のユーザ名、及び／又は携帯電話機４の電話番号を着信表示として表示部５６に表示するモードをいう。また、通常モードとは、例えば携帯電話機４から携帯電話機５宛にメールを送信した場合、携帯電話機５において、携帯電話機４のユーザ名、同電話機４のメールアドレス、及び／又は上記メールのタイトルを表示するモードでもある。さらに、携帯電話機５がメールを受信すると当該受信したメールの本文を表示する機能を携帯電話機５が備えている場合、当該機能がオン状態であれば、通常モードではメール受信に伴い当該メールの本文を自動的に表示するものとする。なお、図４には、携帯電話機４の電話番号を表示部５６に表示せずに、ユーザの氏名を着信表示として表示部５６に表示した場合を示している。
【００５７】
一方、シークレットモードとは、特定情報記憶部５４に記憶された特定情報にて特定される機器から携帯電話機５宛に発呼があった場合、当該機器のユーザの氏名、及び／又は携帯電話機４の電話番号を着信表示として表示部５６する表示しないモードをいう。具体例を挙げて説明すると、シークレットモードとは、携帯電話機４の電話番号が上記特定情報として特定情報記憶部５４に記憶されている場合には、当該電話番号を有する携帯電話機からの着呼が携帯電話機５にあったとき、携帯電話機４のユーザの氏名、及び／又は携帯電話機４の電話番号を表示しないモードである。なお、図５には、携帯電話機４の電話番号と携帯電話機４のユーザの氏名とを着信表示として表示部５６に表示しない場合を示している。
【００５８】
また、シークレットモードとは、特定情報記憶部５４に記憶された特定情報にて特定される機器から携帯電話機５宛にメールを送信した場合、携帯電話機５において、上記機器のユーザの氏名、同電話機４のメールアドレス、及び／又は上記メールのタイトルを表示しないモードでもある。さらに、上述したように、携帯電話機５がメールを受信すると、当該受信したメールの本文を表示する機能を携帯電話機５が備えている場合、シークレットモードとは、当該機能がオン状態であっても、メール受信に伴い少なくとも当該メールの本文を自動的に表示しないモードでもある。ここで、携帯電話機４の電話番号が上記特定情報として特定情報記憶部５４に記憶されている場合には、携帯電話機４が、上述した特定情報にて特定される機器に該当する。
【００５９】
なお、特定情報記憶部５４に携帯電話機４を特定する特定情報が記憶されている場合、当該携帯電話機４は、特許請求の範囲に記載の所定の外部機器に該当する。
【００６０】
以下では、まず、携帯電話機４を特定する特定情報が特定情報記憶部５４に記憶されていない場合における生成部７４と送信部６３との動作について説明する。あわせて、この場合におけるカーナビゲーション装置３の動作についても説明する。
【００６１】
生成部７４は、受信部６１から上記着座信号に基づく信号を受け取る。生成部７４は、上記着座信号に基づく信号を受信した場合であって、かつ携帯電話機４からの着呼があった場合、少なくとも、当該着呼に伴う表示に用いられる携帯電話機４のユーザ名を示したデータを送信部６３に送る。送信部６３は、生成部７４が生成した携帯電話機４のユーザ名を示したデータを受信すると、当該データをカーナビゲーション装置３に送信する。
【００６２】
カーナビゲーション装置３は、第３受信部３３によって、携帯電話機５の送信部６３から送信されてきた携帯電話機４のユーザ名を示したデータを受信する。そして、カーナビゲーション装置３は、当該受信したデータを、制御部３４によって表示部３５に表示する。これにより、カーナビゲーション装置３では、携帯電話機４からの着呼が携帯電話機５にあった場合、携帯電話機４のユーザ名が表示される。
【００６３】
一方、上記着座信号に基づく信号を受信した場合であって、かつ携帯電話機４からのメール受信があった場合、生成部７４は、当該受信に伴う表示に用いられる携帯電話機４のユーザ名を示したデータと受信したメールとを、送信部６３に送る。送信部６３は、生成部７４が生成した携帯電話機４のユーザ名を示したデータとメールとを受信すると、当該データおよび当該メールとをカーナビゲーション装置３に送信する。
【００６４】
この場合には、カーナビゲーション装置３は、当該受信したデータおよびメールを、制御部３４によって表示部３５に表示する。これにより、カーナビゲーション装置３では、携帯電話機４からメールを受信した場合、携帯電話機４のユーザ名およびメールが表示される。なお、カーナビゲーション装置３におけるメールの表示は、メールタイトルのみであってもよいし、当該メールタイトルのみならずメール本文を含めた表示としてもよい。また、メールのタイトル等を表示しない構成としてもよい。このような表示の設定については、カーナビゲーション装置３側で予め行っておけばよい。なお、当該表示の設定は、携帯電話機５から指示を送ることによりなされるものであってもよい。
【００６５】
次に、携帯電話機４を特定する特定情報が特定情報記憶部５４に記憶されている場合における生成部７４と送信部６３との動作について説明する。あわせて、この場合におけるカーナビゲーション装置３の動作についても説明する。
【００６６】
生成部７４は、受信部６１から上記着座信号に基づく信号を受け取る。生成部７４は、上記着座信号に基づく信号を受信した場合であって、かつ携帯電話機４からの着呼があった場合、着呼があったことのみを示したデータ（第２情報）を生成する。そして、生成部７４は、当該生成したデータを送信部６３に送る。送信部６３は、生成した上記着呼があったことのみを示したデータを生成部７４から受信すると、当該データをカーナビゲーション装置３に送信する。
【００６７】
カーナビゲーション装置３は、第３受信部３３によって、携帯電話機５の送信部６３から送信されてきた上記着呼があったことのみを示したデータを受信する。そして、カーナビゲーション装置３は、当該受信したデータを、制御部３４によって表示部３５に表示する。これにより、カーナビゲーション装置３では、携帯電話機４からの着呼が携帯電話機５にあった場合でも、携帯電話機４のユーザ名を非表示とすることができる。
【００６８】
一方、上記着座信号に基づく信号を受信した場合であって、かつ携帯電話機４からのメール受信があった場合、生成部７４は、メールを受信したことのみを示したデータ（第２情報）を生成する。そして、生成部７４は、当該生成したデータを送信部６３に送る。送信部６３は、生成部７４が生成した上記メールを受信したことのみを示したデータを受信すると、当該データをカーナビゲーション装置３に送信する。
【００６９】
カーナビゲーション装置３は、第３受信部３３によって、携帯電話機５の送信部６３から送信されてきた上記メールを受信したことのみを示したデータを受信する。そして、カーナビゲーション装置３は、当該受信したデータを、制御部３４によって表示部３５に表示する。これにより、カーナビゲーション装置３では、携帯電話機４からメールを受信した場合であっても、携帯電話機４のユーザ名を非表示とすることができる。
【００７０】
以上のように、本実施の形態に係る携帯電話機５は、携帯電話機４と通信可能な通信装置であって、着信に伴う表示に用いられる通信相手の名称や電話番号等の情報（第１情報）を、表示部３５を備えたカーナビゲーション装置３に送信する送信部６３と、自機５のユーザ以外の第三者の存在を検知する検知手段から、前記第三者が存在するか否かを示した存在情報を受信する受信部６１と、受信部６１が前記存在情報を受信した場合であって、かつ携帯電話機４からの着信があった場合、着信に伴う表示に用いられる情報である、着信があったことのみを示した情報を生成する生成部７４とを備え、送信部６３は、生成部７４が前記第２情報を生成した場合、上記着信のあったことのみを示した情報を生成した場合には、上記着信があったことのみを示した情報をカーナビゲーション装置３に送信する構成である。なお、着信に伴う表示に用いられる情報である、着信があったことのみを示した情報が、特許請求の範囲に記載した、周辺装置にて第１情報に基づく表示を行ったときに表示される内容とは異なる内容を表示するための第２情報に対応する。
【００７１】
このような構成により、携帯電話機５では、検知装置３が第三者の存在を検知した場合であって、かつ携帯電話機４からの着信があった場合には、第三者を検知していない場合に利用される着信に伴う表示に用いる情報（第１情報）とは異なる情報（第２情報）を生成し、当該生成した情報をカーナビゲーション装置３に送信することができる。また、当該異なる情報は、着信があったことのみを示した情報であって、通信相手の氏名や電話番号等の情報ではない。
【００７２】
したがって、カーナビゲーション装置３では、当該異なる情報に基づいた表示が表示部３５で表示されたとしても、第三者には誰からの着信なのかを特定することはできない。このように、携帯電話機５では、携帯電話機５のユーザの周囲の人に知られたくない情報を秘密にすべく、周囲に人がいるか否かに応じてカーナビゲーション装置３にて表示させる内容を変更することが可能となる。つまり、カーナビゲーション装置３においても、上述したようなシークレットモードに準じた表示を行うことができる。
【００７３】
また、携帯電話機５は、着信に伴う表示に用いられる通信相手の名称や電話番号等の情報（第１情報）を自機５の周辺に配置されたカーナビゲーション装置３に送信可能であって、自機５の周囲に配置されると共に自機５のユーザ以外の第三者の存在を検知する検知装置２から、第三者が存在するか否かを示した存在情報を受信する受信部６１と、受信部６１が存在情報を受信した場合であって、かつ携帯電話機４からの着信があった場合、着信に伴う表示に用いられる情報である、着信があったことのみを示した情報を生成する生成部７４と、生成部７４が上記着信のあったことのみを示した情報を生成した場合には、上記着信があったことのみを示した情報をカーナビゲーション装置３に送信する送信部６３とを備える構成ともいえる。ここで、携帯電話機５の周囲とは、例えば、無線信号の届く範囲、あるいは第三者がカーナビゲーション装置３の表示部３５を視認できる範囲ないである。また、携帯電話機５とカーナビゲーション装置３とを有線で接続している場合には、概ね当該有線のケーブルが届く範囲である。
【００７４】
また、携帯電話機５は、以上のように、受信部６１が上記存在情報を受信していない場合であって、かつ携帯電話機４から着信があった場合には、送信部６３が上記の着信先の相手の氏名や電話番号等の情報（第１情報）をカーナビゲーション装置３に送信する構成でもある。
【００７５】
また、携帯電話機５は、以上のように、特定情報記憶部５４に記憶された特定情報により特定される機器である。したがって、第三者を検知している場合に着信があったとき、発信元（通信相手）が特定情報として特定情報記憶部５４に記憶されている機器についてのみ、当該発信元の機器のユーザ名が非表示とできる。これにより、全ての着信について、発信元の機器のユーザ名が非表示になることはなくなる。
【００７６】
また、携帯電話機５は、以上のように、書込／読取制御部（記憶手段）７１により、上記特定情報を特定情報記憶部５４に記憶可能であって、着信があった場合、特定情報記憶部５４に記憶された特定情報に基づき、当該着信が所定の機器（例えば、携帯電話機４）からの着信であるか否かを判断する判断部（判断手段）７２を備える構成でもある。
【００７７】
したがって、ユーザが所望とする機器の情報を、上記特定情報として特定情報記憶部５４に記憶させることができる。それゆえ、上記ユーザが所望とする機器のユーザ名についてのみ、カーナビゲーション装置３にて非表示とできる。このように、携帯電話機５では、ユーザの希望に応じ、非表示の対象とする機器を予め決めておくことができる。
【００７８】
次に、本実施の形態における携帯電話機５のデータ処理について、図６に基づいて、説明する。なお、この説明においても、説明の便宜上、上述したように携帯電話機５の通信対象が携帯電話機４である場合について説明する。
【００７９】
まず、制御部６２が、受信部６１を介した上記着座信号に基づく信号の受信があったか否かを判断する（Ｓ１）。Ｓ１において、上記着座信号に基づく信号の受信があったと判断された場合には、携帯電話機４から着信があったか否かを判断する（Ｓ２）。一方、Ｓ１において、上記着座信号に基づく信号の受信がなかったと判断された場合には、Ｓ６に進む。
【００８０】
Ｓ２において、携帯電話機４からの着信があったと判断された場合には、判断部７２により、特定情報機器記憶部５４に記憶された特定情報に基づき、上記着信が、当該特定情報で特定される機器からの着信であるか否かを判断する（Ｓ３）。一方、Ｓ２において、携帯電話機４からの着信があったと判断されなかった場合には、再度、Ｓ２に戻る。
【００８１】
Ｓ３において、上記着信が、携帯電話機４が当該特定情報で特定される機器からの着信であると判断された場合、生成部７４が、着信に伴う表示に用いられる情報である、着信があったことのみを示した情報（つまり、第２情報）を生成する（Ｓ４）。そして、Ｓ４の後は、Ｓ４において生成部７４が生成した情報を、送信部６３がカーナビゲーション装置３に対して送信する（Ｓ５）。
【００８２】
一方、Ｓ３において、上記着信が、携帯電話機４が当該特定情報で特定される機器からの着信であると判断されなかった場合、送信部６３が、着信に伴う表示に用いられる通信相手の名称や電話番号等の情報（つまり、第１情報）をカーナビゲーション装置３に送信する（Ｓ７）。
【００８３】
また、Ｓ１において、上記着座信号に基づく信号の受信があったと判断されなかった場合には、携帯電話機４から着信があったか否かを判断する（Ｓ６）。Ｓ６において、携帯電話機４からの着信があったと判断された場合には、着信に伴う表示に用いられる通信相手の名称や電話番号等の情報をカーナビゲーション装置３に送信する（Ｓ７）。一方、Ｓ６において、携帯電話機４からの着信があったと判断されなかった場合には、再度、Ｓ６に戻る。
【００８４】
そして、Ｓ５およびＳ７の後は、上記着座信号を利用した、携帯電話機５によるカーナビゲーション装置３での表示内容の制御を終了する。なお、この後は、ハンズフリーにより通話を行ってもよいし、携帯電話機４との通信を終了してもよい。
【００８５】
また、以下の構成ともできる。例えば、車両にハンズフリーを実現するための車載用ハンズフリーの装置を搭載しておき、当該装置を介して、携帯電話機５のユーザが携帯電話機４のユーザと通話を行ってもよい。また、車載用のハンズフリーの装置を車両に搭載していない場合であっても、携帯電話機５にハンズフリー通話が可能となる機器を接続しているのであれば、当該機器を用いて携帯電話機４のユーザと通話を行ってもよい。
【００８６】
ところで、上記においては、携帯電話機５が、着信に伴う表示に用いられる通信相手の名称や電話番号等の情報（第１情報）の代わりに、着信があったことのみを示したデータ（第２情報）をカーナビゲーション装置３に送信する構成にしたが、これに限定されるものではない。携帯電話機５が、カーナビゲーション装置３に上記第１情報と第２情報とを連続してあるいは同時に送る構成であってもよい。この場合、カーナビゲーション装置３では、第１情報と第２情報とを連続してあるいは同時に受信した場合には、第２情報を第１情報よりも優先して用いる構成としておけばよい。つまり、携帯電話機５が、少なくとも第２情報をカーナビゲーション装置３に送信する構成であればよい。
【００８７】
また、第２情報は、第１情報を利用して生成されてもよいし、第１情報とは別個に生成されてもよい。
【００８８】
また、上記においては、特定情報記憶部５４に記憶された特定情報により特定される機器に関し、カーナビゲーション装置３で発信元（通信相手）の名称等を非表示としたが、これに限定されるものではない。携帯電話機５を、特定情報記憶部５４を備えない構成として、第三者を検知した場合には、常に、発信元を非表示とする構成としてもよい。
【００８９】
また、携帯電話機５が操作部６０を介した第１の入力を受け付けた場合、携帯電話機５の送信部６３が、上記第２情報の代わりに上記第１情報をカーナビゲーション装置３に送信する構成としてもよい。この構成によれば、カーナビゲーション装置３において第２情報に基づく表示は必要がないとユーザが判断した場合（例えば、第三者が特定人である場合）には、携帯電話機５側でのユーザによる操作により、カーナビゲーション装置３において第１情報に基づいた表示を行える。
【００９０】
また、携帯電話機５の受信部６１がカーナビゲーション装置３から所定の情報を受信した場合には、送信部６３が、上記第２情報の代わりに上記第１情報をカーナビゲーション装置３に送信する構成としてもよい。この構成によれば、カーナビゲーション装置３において第２情報に基づく表示は必要がないとユーザが判断した場合（例えば、第三者が特定人である場合）には、カーナビゲーション装置３側でのユーザによる操作により、カーナビゲーション装置３において第１情報に基づいた表示を行える。
【００９１】
また、図５に示す例では、着信があったことをカーナビゲーション装置３の３５に示したが、着信があったことすら示さない構成としてもよい。また、着信があったことを示す場合であっても、同乗者である第三者が、着信があったとは通常は認識されないような表示（例えば、記号）を、カーナビゲーション装置３の表示部３５の表示画面の隅等の適当な位置に行う構成としてもよい。
【００９２】
また、上記においては、第三者が着座しているか否かを、運転席以外の座席に荷重を検知するセンサを設けて判断する構成を示したが、これに限定されるものではない。例えば、助手席や後部座席のシートベルトが締められたことを検出することにより、第三者が着座しているか否かを判断してもよい。あるいは、車両内にカメラを設けておき、カメラで撮影した画像を画像処理することにより、第三者が同乗しているか否を判断する構成としてもよい。
【００９３】
また、カーナビゲーション装置３に対して、携帯電話機５が上記第２情報を送る場合には、携帯電話機５の表示モードは、通常モードとしてもよいし、あるいはシークレットモードとしてもよい。つまり、上記第２情報を送る場合には、携帯電話機５は必ずしもシークレットモードにならなくてもよい。また、上記表示モードを上記着信前のモードから変更しない構成としてもよい。
【００９４】
カーナビゲーション装置３に対して、上記第２情報を携帯電話機５が送信する場合において、携帯電話機５においてもシークレットモードにおける表示を行う構成の場合には、携帯電話機５は、以下のような構成を備えるといえる。つまり、携帯電話機５は、着信があった場合に表示部５６に第１の表示を行う通常モードと、上記着信があった場合に表示部５６に上記第１の表示の一部を視認不可能に変更した第２の表示を行うシークレットモードとを備えた通信装置であって、自機５のユーザ以外の第三者の存在を検知する検知装置２から、上記第三者が存在するか否かを示した存在情報を受信する受信部６１と、受信部６１が上記存在情報を受信した場合であって、かつ携帯電話機４からの着信があった場合、表示部３５を備えたカーナビゲーション装置３に対して、カーナビゲーション装置３に上記第２の表示を行わせるための表示情報を送信する送信部６３とを備える構成であるといえる。
【００９５】
なお、上記の説明においては、シークレットモードとは、発信元の機器のユーザの氏名や電話番号等を着信表示として表示しないモードとして説明した。しかしながら、これに限定されず、シークレットモードは、着信に伴い表示可能となる情報の少なくとも一部の情報について、表示を制限、変更、あるいは削除するモードであればよい。
【００９６】
また、上記においては、上記着座信号に基づく信号を受信した場合であって、かつ携帯電話機４からのメールを受信した場合、メールを受信したことのみを示したデータをカーナビゲーション装置３に送る例を挙げて説明したが、以下のようにしてもよい。つまり、メールの送信者名、メールのタイトル、およびメールの本文のうち、少なくとも１つ以上の項目に関するデータをカーナビゲーション装置３に送信しない構成としてもよい。
【００９７】
また、カーナビゲーション装置３で非表示とする項目（例えば、発信者名、発信者の電話番号、発信者のメールアドレス、メールタイトル、メール本文）に関しては、ユーザが操作部６０を介した操作により、選択できる構成としてもよい。この場合には、当該選択に応じて、生成部７４が生成する第２情報の内容を制御部６２からの指令により変更する構成としておけばよい。
【００９８】
また、上記においては、携帯電話機５は、カーナビゲーション装置３を介して検知装置２から上記存在情報を受信したが、これに限定されるものではない。例えば、携帯電話機５が、検知装置２から直接上記存在情報を受信する構成であってもよい。
【００９９】
また、上記においては、検知装置２から、常にカーナビゲーション装置３に対して上記着座信号を常時送信する構成、あるいは、カーナビゲーション装置３に対して上記着座信号を一定周期のパルス信号として送信する構成を示したが、これに限定されるものではない。以下のような構成とすることもできる。
【０１００】
まず、車両のドアの開閉を検知するドア開閉検知手段を車両に備えておく。さらに、ドアが開いた後閉まった場合に、予め定めた信号をカーナビゲーション装置３に送信する構成とする。また、検知装置２は、一度だけ、上記着座信号をカーナビゲーション装置３に送信する構成としておく。ここで、検知装置２が上記着座信号をカーナビゲーション装置３に送信した場合は、上記予め定めた信号をカーナビゲーション装置３が受信するまでは、第三者が存在しているとみなして、上述した各種処理を行ってもよい。
【０１０１】
また、以下の構成としても良い。まず、上記と同様に、検知装置２は、一度だけ、上記着座信号をカーナビゲーション装置３に送信する構成としておく。ここで、検知装置２が上記着座信号をカーナビゲーション装置３に送信した場合は、カーナビゲーション装置３が車両のエンジンの停止後に再起動するまでは、第三者が存在しているとみなして、上述した各種処理を行ってもよい。
【０１０２】
また、携帯電話機５およびカーナビゲーション装置３の構成を以下のようにしてもよい。携帯電話機５の構成を、着信の有無に関係なく、操作部６０を介したユーザからの所定の入力（第２の入力）により、携帯電話機５が記憶する所定のデータをカーナビゲーション装置３に送信する構成とする。この際、車内に第三者が存在している場合には、携帯電話機５は、カーナビゲーション装置３に対して、上記所定のデータのうち或る部分のデータが非表示となるようにしたデータを送信する。一方、車内に第三者が存在していない場合には、携帯電話機５は、カーナビゲーション装置３に対して、上記所定のデータを送信する。ここで、上記所定のデータとしては、例えば、電話帳データ、メモ帳データ、動画像、静止画像、発信履歴情報、着信履歴情報等が挙げられる。
【０１０３】
つまり、携帯電話機５への着信の有無にかかわらず、携帯電話機５がユーザから操作部６０を介した所定の入力（第２の入力）を受け付けた場合であって、かつ第三者が存在している場合に、上記所定のデータを携帯電話機５がカーナビゲーション装置３に送信する構成としてもよい。
【０１０４】
この構成の場合には、この構成の場合には、携帯電話機５は、携帯電話機４と通信可能な通信装置であって、所定のデータ（第１番の情報）を、表示部３５を備えたカーナビゲーション装置３に送信する送信部６３と、自機５のユーザ以外の第三者の存在を検知する検知手段から、前記第三者が存在するか否かを示した存在情報を受信する受信部６１と、受信部６１が上記存在情報を受信した場合であって、かつ操作部を介した所定の入力（第２の入力）を自機５が受け付けた場合、カーナビゲーション装置３にて上記第１番の情報に基づく表示を行ったときに表示される内容とは異なる内容を表示するためのデータ（第２番の情報）を生成する生成部７４とを備え、送信部６３は、生成部７４が上記データ（第２番の情報）を生成した場合、当該生成したデータをカーナビゲーション装置３に送信する構成であるといえる。
【０１０５】
また、携帯電話機５がシークレットモードの状態にある場合には、以下のような構成としてもよい。まず、携帯電話機５が上記存在情報を受信した場合であって、かつ携帯電話機４から着信があった場合、携帯電話機５は、上記第１情報を送ると共に、自機５の表示モードがシークレットモードである旨を示した情報をカーナビゲーション装置３に送信する。そして、カーナビゲーション装置３は、上記第１情報と上記シークレットモードである旨を示した情報とを受信すると、図示しない制御部が上記第２情報を生成し、当該生成した第２情報に基づいた表示を表示部３５に行う。このような構成によっても、通信システム１で得られたのと同様な効果を得られる。
【０１０６】
また、上記においては、カーナビゲーション装置３を例に挙げて説明したが、これに限定されるものではない。例えば、カーナビゲーション装置３の代わりに、表示部を備えたカーステレオ装置等の車載装置を用いても本実施の形態の通信システムを構成可能である。
【０１０７】
また、上記においては、通信装置や通信機器の一例として携帯電話機を例に挙げて説明した。しかしながら、通信機能を有する装置であれば、携帯電話機に限定されるものではない。
【０１０８】
また、上記においては、携帯電話機５等におけるデータ処理が車内にて行われる例を挙げて説明したが、これに限定されるものではない。例えば、携帯電話機５のユーザの自宅の部屋等においても、本発明を適用可能である。前提としては、着信に伴う表示に用いる情報を、携帯電話機５から携帯電話機５の周辺に配置されたパーソナルコンピュータや液晶テレビ等の表示装置に送信し、パーソナルコンピュータ等で着信表示を行わせるシステム構成を採っている場合である。なお、この場合、第三者が上記部屋に存在するか否かを検知するカメラ等が検知装置２の代わりに必要になる。このような構成によっても、カーナビゲーション装置３を用いた構成と同様な効果を得られる。
【０１０９】
さらに、上記実施の形態における携帯電話機５の各ブロック、特に制御部６２は、ハードウェアロジックによって構成してもよいし、次のようにＣＰＵを用いてソフトウェアによって実現してもよい。
【０１１０】
すなわち、携帯電話機５は、各機能を実現する制御プログラムの命令を実行するＣＰＵ（central processing unit）、上記プログラムを格納したＲＯＭ （read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話機５の制御プログラムのプログラムコード（ 実行形式プログラム、中間コードプログラム、ソースプログラム） をコンピュータで読み取り可能に記録した記録媒体を、上記携帯電話機５に供給し、そのコンピュータ（またはＣＰＵやＭＰＵ）が記録媒体に記録されているプログラムコードを読み出し実行することによっても、達成可能である。
【０１１１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ 等の光ディスクを含むディスク系、ＩＣ カード（メモリカードを含む）／光カード等のカード系、あるいはマスクＲＯＭ／ＥＰＲＯＭ／ＥＥＰＲＯＭ／フラッシュＲＯＭ 等の半導体メモリ系などを用いることができる。
【０１１２】
また、携帯電話機５を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴ Ｖ 回線、電話線、Ａ Ｄ Ｓ Ｌ 回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された搬送波あるいはデータ信号列の形態でも実現され得る。
【図面の簡単な説明】
【０１１３】
【図１】本発明の実施の形態に係る通信システムを構成する携帯電話機であって、かつ当該通信システムを構成するカーナビゲーション装置との間で通信を行う携帯電話機の機能ブロック図である。
【図２】本発明の実施の形態に係る通信システムの概略構成を示した概略図である。
【図３】上記通信システムを構成するカーナビゲーション装置の機能ブロック図である。
【図４】第三者が存在しない場合における、上記カーナビゲーション装置の表示部で表示される表示画面を示した図である。
【図５】第三者が存在する場合における、上記カーナビゲーション装置の表示部で表示される表示画面を示した図である。
【図６】上記携帯電話機の通信処理のフローを示したフローチャートである。
【符号の説明】
【０１１４】
１      通信システム
２      検知装置
３      カーナビゲーション装置
４・５  携帯電話機
５４    特定情報記憶部
６０    操作部
６１    受信部
６２    制御部
６３    送信部
７１    書込／読取制御部
７２    判断部
７４    生成部
【図１】
2009088960.tif 000003
【図２】
2009088960.tif 000004
【図３】
2009088960.tif 000005
【図４】
2009088960.tif 000006
【図５】
2009088960.tif 000007
【図６】
2009088960.tif 000008